(57)【要約】【課題】カバーの共振を抑制できるカバー付きコネクタを提供することを目的とする。【解決手段】カバー付きコネクタ１は、内部に機器を収容する機器ケース３０に固定される固定プレート１１と、固定プレート１１に保持されるコネクタハウジング１３と、シールドカバー２０とを備えている。シールドカバー２０は、固定プレート１１の一面側に配されてコネクタハウジング１３を覆うカバー本体２１と、カバー本体２１から延びて機器ケース３０に取り付けられる２つの取付片２５とを備える。取付片２５は、固定プレート１１に対向するプレート対向面２５Ａを有するとともに、固定プレート１１に対して隙間を有して配され、カバー本体２１のが、プレート対向面２５Ａを含む平面Ｐと固定プレート１１との間に延びて固定プレート１１に当接する突き当て部２７を備えている。【選択図】図２
2018181666.tif 000002
【特許請求の範囲】
【請求項１】
内部に機器を収容する機器ケースに固定される固定プレートと、
前記固定プレートに保持されるコネクタハウジングと、
前記固定プレートの一面側に配されて前記コネクタハウジングを覆うカバー本体と、前記カバー本体から延びて前記機器ケースに固定される取付部とを備えるカバーとを備え、
前記取付部が、前記固定プレートに対向するプレート対向面を有するとともに、前記固定プレートに対して隙間を有して配され、
前記固定プレートおよび前記カバー本体のうち一方が、前記プレート対向面を含む平面と前記固定プレートとの間に延びて他方に当接する突き当て部を備えている、カバー付きコネクタ。
【請求項２】
前記カバーが、２つの前記取付部を備えており、
前記突き当て部が、２つの前記取付部を結ぶ線の両側に配置されている、請求項１に記載のカバー付きコネクタ。
【発明の詳細な説明】
【技術分野】
【０００１】
本明細書によって開示される技術は、カバー付きコネクタに関する。
【背景技術】
【０００２】
車両に搭載される電気機器は、ケースに収容されており、ケースには、電気機器と外部機器との接続を行うために、端子台が取り付けられている。端子台は、ノイズを遮蔽するためのシールドカバーによって覆われている（特許文献１参照）。
【先行技術文献】
【特許文献】
【０００３】
【特許文献１】特開２０１３−６９８２８号公報
【発明の概要】
【発明が解決しようとする課題】
【０００４】
車両の走行時に発生する振動がシールドカバーに伝わり、シールドカバーが共振すると、シールドカバーとケースとの締結部に負荷がかかり、締結部が破損することが懸念される。
【課題を解決するための手段】
【０００５】
本明細書によって開示されるカバー付きコネクタは、内部に機器を収容する機器ケースに固定される固定プレートと、前記固定プレートに保持されるコネクタハウジングと、前記固定プレートの一面側に配されて前記コネクタハウジングを覆うカバー本体と、前記カバー本体から延びて前記機器ケースに固定される取付部とを備えるカバーとを備え、前記取付部が、前記固定プレートに対向するプレート対向面を有するとともに、前記固定プレートに対して隙間を有して配され、前記固定プレートおよび前記カバー本体のうち一方が、前記プレート対向面を含む平面と前記固定プレートとの間に延びて他方に当接する突き当て部を備えている。
【０００６】
上記の構成によれば、突き当て部の存在により、固定プレートとカバーとが互いに突き当たった状態となるため、カバーの共振を低減することができる。
【０００７】
上記の構成において、前記カバーが、２つの前記取付部を備えており、前記突き当て部が、２つの前記取付部を結ぶ線の両側に配置されていてもよい。
【０００８】
カバーが、２つの取付部によって機器ケースに固定されている構成では、２つの取付部を結ぶ線を回動軸としてカバーが振動しやすい。そこで、２つの取付部を結ぶ線の両側に突き当て部を配置することによって、カバーの振動を抑制できる。
【発明の効果】
【０００９】
本明細書によって開示されるカバー付きコネクタによれば、カバーの共振を抑制できる。
【図面の簡単な説明】
【００１０】
【図１】実施形態の機器コネクタの部分拡大斜視図
【図２】機器コネクタが機器ケースに取り付けられた様子を示す部分拡大側面図
【図３】シールドカバーの斜視図
【発明を実施するための形態】
【００１１】
実施形態を、図１〜図３を参照しつつ説明する。本実施形態のカバー付きコネクタ１は、車両のエンジンルームに搭載され、内部に機器を収容する機器ケース３０に取り付けられるコネクタであって、コネクタ本体１０と、シールドカバー２０とを備えている。
【００１２】
コネクタ本体１０は、図１および図２に示すように、固定プレート１１と、コネクタハウジング１３とを備えている。
固定プレート１１は、全体として金属製の矩形の板状の部材であって、四隅に、ボルトを挿通可能なボルト挿通孔１２を有している。
コネクタハウジング１３は、合成樹脂製であって、インサート成形により固定プレート１１と一体化されている。このコネクタハウジング１３は、詳細には図示しないが、固定プレート１１を貫通するように配置され、端子付き電線の端末部を保持している。
【００１３】
シールドカバー２０は、固定プレート１１の一面側に配される金属製の部材であって、図１および図３に示すように、コネクタハウジング１３を覆うカバー本体２１と、このカバー本体２１から延びて機器ケース３０に固定される２つの取付片２５とを備えている。
【００１４】
カバー本体２１は、ドーム状の屋根部２２と、この屋根部２２から連なる囲み壁部２３とを備えるとともに、電線導出口２４を有している。囲み壁部２３は、屋根部２２の周縁から延びる略楕円筒状の部分である。電線導出口２４は、図３に示すように、囲み壁部２３の延出端（屋根部２２とは反対側の端縁）から屋根部２２の頂部に向かって切り欠かれたような形状の開口部である。
【００１５】
２つの取付片２５のそれぞれは、囲み壁部２３から外側に向かって延びる板片状の部分であって、図２に示すように、シールドカバー２０が機器ケース３０に取り付けられた状態で固定プレート１１の方を向くプレート対向面２５Ａを有するとともに、図３に示すように、プレート対向面２５Ａから反対側の面まで貫通し、ボルトＢを挿通可能なボルト挿通孔２６を有している。２つの取付片２５は、図３に示すように、囲み壁部２３の軸心を挟んで互いに反対側に位置している。２つの取付片２５のプレート対向面２５Ａは互いに同一平面（図２に示す平面Ｐ）上にある。
【００１６】
２つの取付片２５は、囲み壁部２３の延出端よりも僅かに屋根部２２に近い位置に配置されている。言い換えれば、囲み壁部２３は、２つの取付片２５のプレート対向面２５Ａを含む平面Ｐよりも固定プレート１１に向かって（屋根部２２と反対側に）延出された部分（突き当て部２７）を有している。なお、図１、図２および図３では、突き当て部２７に網掛けを付して示している。
【００１７】
機器ケース３０は、図１および図２に示すように、カバー付きコネクタ１が取り付けられるケース壁３１を備えており、このケース壁３１からは、４つのプレート取付柱３２と、２つのカバー取付柱３３とが立設されている。各プレート取付柱３２および各カバー取付柱３３は、円柱状であって、ケース壁３１とは反対側の面に開口するねじ孔（図示せず）を有している。カバー取付柱３３は、ケース壁３１からの高さが、プレート取付柱３２のケース壁３１からの高さと固定プレート１１の厚みを足した分よりもわずかに大きくなっている。
【００１８】
コネクタ本体１０は、固定プレート１１が４つのプレート取付柱３２上に載るようにしてケース壁３１に取り付けられ、各ボルト挿通孔１２にボルト（図示せず）を挿通して各プレート取付柱３２のねじ孔にねじ込むことにより、ケース壁３１に固定される。
【００１９】
シールドカバー２０は、２つの取付片２５のそれぞれと２つのカバー取付柱３３のそれぞれとの位置を合わせるようにして、固定プレート１１の一面側（機器ケース３０と反対側：図２の上側）に配される。この状態では、カバー本体２１がコネクタハウジング１３のうち固定プレート１１の一面側に配されている部分を覆っている。そして、各取付片２５のボルト挿通孔２６にボルトＢを挿通して各カバー取付柱３３のねじ孔にねじ込むことにより、ケース壁３１に固定される。カバー取付柱３３は、ケース壁３１からの高さが、プレート取付柱３２のケース壁３１からの高さと固定プレート１１の厚みを足した分よりもわずかに大きくなっているから、図２に示すように、シールドカバー２０が機器ケース３０に取り付けられた状態では、２つの取付片２５と固定プレート１１との間には隙間がある。一方、囲み壁部２３の延出端部、すなわち、突き当て部２７は、２つの取付片２５と固定プレート１１との隙間の大きさ分だけ、プレート対向面２５Ａよりも固定プレート１１に向かって延出されており、固定プレート１１に突き当たっている。
【００２０】
車両の走行時に発生する振動がシールドカバー２０に伝わり、シールドカバー２０が共振すると、取付片２５に負荷がかかり、取付片２５が破損することが懸念される。しかし、本実施形態では、突き当て部２７が固定プレート１１に突き当たっていることにより、シールドカバー２０の共振を低減することができる。
【００２１】
ここで、シールドカバー２０は、２つの取付片２５によって機器ケース３０に固定されているため、２つの取付片２５を結ぶ線Ｌ（より具体的には、２つの取り付け片２５のそれぞれが有するボルト挿通孔２６の孔縁が描く円の中心位置同士を結ぶ直線）を回動軸としてシールドカバー２０が振動しやすい。そこで、本実施形態では、囲み壁部２３において、電線導出口２４が設けられている部分を除く全周にわたって、突き当て部２７を配置している。このような構成では、図３に示すように、２つの取付片２５を結ぶ線Ｌの両側に突き当て部２７が配置されることとなるため、２つの取付片２５を結ぶ線Ｌを回動軸としてシールドカバー２０が振動することを抑制できる。
【００２２】
以上のように本実施形態によれば、カバー付きコネクタ１は、内部に機器を収容する機器ケース３０に固定される固定プレート１１と、固定プレート１１に保持されるコネクタハウジング１３と、シールドカバー２０とを備えている。シールドカバー２０は、固定プレート１１の一面側に配されてコネクタハウジング１３を覆うカバー本体２１と、カバー本体２１から延びて機器ケース３０に取り付けられる２つの取付片２５とを備える。取付片２５は、固定プレート１１に対向するプレート対向面２５Ａを有するとともに、固定プレート１１に対して隙間を有して配され、カバー本体２１が、プレート対向面２５Ａを含む平面Ｐと固定プレート１１との間に延びて固定プレート１１に当接する突き当て部２７を備えている。このような構成によれば、突き当て部２７の存在により、固定プレート１１とシールドカバー２０とが互いに突き当たった状態となるため、シールドカバー２０の共振を低減することができる。
【００２３】
また、シールドカバー２０が、２つの取付片２５を備えており、突き当て部２７が、２つの取付片２５を結ぶ線Ｌの両側に配置されている。ここで、シールドカバー２０が、２つの取付片２５によって機器ケース３０に固定されている構成では、２つの取付片２５を結ぶ線Ｌを回動軸としてシールドカバー２０が振動しやすい。そこで、２つの取付片２５を結ぶ線Ｌの両側に突き当て部２７を配置することによって、シールドカバー２０の振動を抑制できる。
【００２４】
＜他の実施形態＞
本明細書によって開示される技術は上記記述及び図面によって説明した実施形態に限定されるものではなく、例えば次のような種々の態様も含まれる。
（１）上記実施形態では、シールドカバー２０が突き当て部２７を備えていたが、突き当て部が固定プレートから突出されていても構わない。
【００２５】
（２）上記実施形態では、突き当て部２７が、囲み壁部２３において電線導出口２４が設けられている部分を除く全周にわたって配置されていたが、例えば、突き当て部が囲み壁部の一部にのみ配置されたリブや、複数の突起などであっても構わない。
【符号の説明】
【００２６】
１…カバー付きコネクタ
１１…固定プレート
１３…コネクタハウジング
２０…シールドカバー（カバー）
２１…カバー本体
２５…取付片（取付部）
２５Ａ…プレート対向面
２７…突き当て部
３０…機器ケース
Ｐ…平面
【図１】
2018181666.tif 000003
【図２】
2018181666.tif 000004
【図３】
2018181666.tif 000005